(57)【要約】【課題】壁部材の強度を十分に確保し、吸収材の収縮移動機能をより確実に発揮できるようにする。【解決手段】身体の肌に面する側に設けられた液透過性の表面層２、身体の肌から遠ざかる側に設けられた防漏層３、および両者の間に設けられた体液吸収性部１を有し、体液吸収性部１内に、高吸収性ポリマーｐが封入された透液性袋体２９Ｂからなる壁部材２９を、間隔をあけて複数列有し、これら壁部材２９，２９間に、体液を吸収保持する機能および体液との接触により収縮する機能を有する吸収材２５を有する体液吸収性物品を対象とし；壁部材２９の袋体２９Ｂとして、標準状態におけるＪＩＳ  Ｌ  １０９６Ａに規定されるミューレン形法による破裂強さが２００ｇ／ｃｍ２以上のものを用いる。【選択図】図１２
2004298386.tif 000002
【特許請求の範囲】
【請求項１】
体液吸収性部内に、高吸収性ポリマーが封入された透液性袋体からなる壁部材を有し、
前記袋体は、標準状態におけるＪＩＳ  Ｌ  １０９６Ａに規定されるミューレン形法による破裂強さが２００ｇ／ｃｍ２以上とされている、
ことを特徴とする体液吸収性物品。
【請求項２】
身体の肌に面する側に設けられた液透過性の表面層、および身体の肌から遠ざかる側に設けられた防漏層を有し、これら表面層と防漏層との間が前記体液吸収性部とされ、
この体液吸収性部内に、体液を吸収保持する機能および体液との接触により収縮する機能を有する吸収材を備えた、請求項１記載の体液吸収性物品。
【請求項３】
前記壁部材を間隔をあけて複数列有し、これら壁部材間に前記吸収材を有する、請求項２記載の体液吸収性物品。
【請求項４】
前記壁部材は、前記袋体が平坦に押し潰された状態における単位面積（１ｍ２）当たり、３００ｇ以上の高吸収性ポリマーが封入されたものである、請求項１〜３のいずれか１項に記載の体液吸収性物品。
【請求項５】
前記壁部材および前記吸収材が物品前後方向に沿って配列されており、前記吸収材は物品前後方向の一方側端部が物品に対して固定されている、請求項１〜４のいずれか１項に記載の体液吸収性物品。
【発明の詳細な説明】
【０００１】
【発明の属する技術分野】
本発明は、体液を吸収処理する、使い捨ての紙おむつ、生理用ナプキンなどの体液吸収性物品に関する。
【０００２】
【従来の技術】
体液吸収性物品は、基本的に、身体の肌に面する側に設けられた液透過性の表面層、身体の肌から遠ざかる側に設けられた防漏層、および両者の間に設けられた体液吸収性部を有する。
【０００３】
この場合における、体液吸収性部の構成は、種々のものが知られているが、吸収性素材として、高吸収性ポリマー、綿状パルプ（フラッフパルプ）、クレープ紙などの吸収紙を主としている。近年の高吸収性ポリマー技術の進展に伴い、より薄型化した体液吸収性部の形成が可能となり、したがって製品の吸収部分の身体へのフィット性が向上し、モレが少なくなってきている。
【０００４】
この製品の吸収特性の改善は、需要者にとって、薄型でありながら、吸収容量が大きく、さらに長時間の着用にも耐えるさらに新たな製品開発の要求となってあらわれる。
【０００５】
しかるに、この要求を満たすためには、例えば、尿の場合であっては多数回の排尿量のすべてを体液吸収性部が吸収しなければならない。しかし、排尿が繰り返えされるごとに体液吸収性部の吸収速度は遅くなり、特に体液吸収性部の長手方向端部まで体液が吸収されないことが多い。この原因は、体液の縦方向（製品の長手方向）への拡散が十分でないため、および高吸収性ポリマーの膨潤による拡張濡れが阻害されるいわゆるゲルブロッキング現象が起こるためとされている。
【０００６】
これらの現象を解決する手法として、特表２０００−５１００３１号公報、及び特表２０００−５１００３３号公報などの縦方向への濡れ拡がりを助ける技術、高吸収性ポリマーのゲルブロッキングを防ぐ技術、高吸収性ポリマーの形状や組み込みの工夫、濡れによって膨潤する空間を確保する方法などが提案されている。
【０００７】
しかしいずれの方法を用いても、十分な解決策となっていない。この原因を改めて検討すると、従来の体液吸収性物品の体液吸収性部は縦長とし製品の長手方向に沿って配置し、体液排出部位が体液吸収性部のほぼ中心に位置するように設計し、排出部位からの体液は長手方向端部まで濡れ拡がる（拡散する）であろうことを前提としていた。したがって、体液の長手方向拡散が十分でない限り、本質的に、体液吸収性部全体で体液を吸収することはできない。
【０００８】
他方、かかる問題点に対して、本発明者らは、体液吸収性部内での体液の拡散には限界があることを踏まえ、吸収材が体液との接触により収縮し移動することにより、体液受入部分と対応する吸収材部分が更新されるように構成した体液吸収性物品およびその改良技術について種々の提案をしている。具体的には、下記特許文献３、４の他、特願２００１−１４８１３１号、特願２００１−２２６５０７号、特願２００１−２４１９１２号、特願２００１−３１２７６５号、特願２００１−３３１５６３号、特願２００１−３３１５６４号、特願２００２−２６４４０号、特願２００２−２００８９４号、特願２００２−２００８９５号、特願２００２−２１８５９４号、特願２００２−２１８５９５号、特願２００２−２１８５９６号、特願２００２−２２６０５８号、特願２００２−２４２４８９号において提案したものが、これに該当する。
【０００９】
かかる先行技術によれば、吸収材全体を有効に利用し、全体としてみれば、吸収容量が大きく、さらに複数回の体液吸収が十分に可能であり、ひいては長時間の着用にも耐え得る体液吸収性物品を可能とする。
【００１０】
このうち、先の特願２００１−３３１５６４号に提案したように、吸収材の移動抵抗を低減するために、高吸収性ポリマーが封入された透液性袋体からなる壁部材を複数列配置し、これら壁部材間に吸収材を設けるのは非常に好ましい形態である。
【００１１】
【特許文献１】
特表２０００−５１００３１号公報
【特許文献２】
特表２０００−５１００３３号公報
【特許文献３】
特開２００２−３１５７７７号公報
【特許文献４】
特開２００２−２２４１６２号公報
【００１２】
【発明が解決しようとする課題】
しかし、この壁部材は、内部の高吸収性ポリマーが膨張するとともに、物品使用時には外圧を受け、これを支えて吸収材の収縮スペース確保等の機能を果たすものであるため、十分な強度を有することが望まれる。
【００１３】
そこで、本発明の主たる課題は、壁部材の強度を十分に確保し、もって吸収材の収縮移動機能をより確実に発揮できるようにすることにある。
【００１４】
【課題を解決するための手段】
上記課題を解決した本発明は次記のとおりである。
＜請求項１記載の発明＞
体液吸収性部内に、高吸収性ポリマーが封入された透液性袋体からなる壁部材を有し、
前記袋体は、標準状態におけるＪＩＳ  Ｌ  １０９６Ａに規定されるミューレン形法による破裂強さが２００ｇ／ｃｍ２以上とされている、
ことを特徴とする体液吸収性物品。
【００１５】
（作用効果）
本発明では、体液吸収性部内に至った体液が壁部材に吸収され、内部の高吸収性ポリマーの膨張により壁部材の厚さが増加する。この際、壁部材の袋体として、標準状態におけるＪＩＳ  Ｌ  １０９６Ａに規定されるミューレン形法による破裂強さが２００ｇ／ｃｍ２以上であるものを用いると、大人用紙おむつのように著しく外圧が高くなるおそれのある物品であっても破裂に対して十分に耐えられるようになる。
【００１６】
なお、本発明における「袋体は…（略）…ミューレン形法による破裂強さが２００ｇ／ｃｍ２以上とされている」とは、当該袋体をなすシートと等価な試験シートを作成し、この試験シートについて上記ミューレン形法により測定した値が上記範囲にあることをいうものである。したがって、実施形態で述べるような接合部を有する袋体にあっては、当該袋体と同一素材を用いて、接合部を有しない試験シートと、当該袋体と同一の構成の接合部を有する試験シートとを製作し、両試験シートについて上記ミューレン形法により測定した値がそれぞれ上記範囲にあるものが、本発明の袋体に相当することになる。
【００１７】
＜請求項２記載の発明＞
身体の肌に面する側に設けられた液透過性の表面層、および身体の肌から遠ざかる側に設けられた防漏層を有し、これら表面層と防漏層との間が前記体液吸収性部とされ、
この体液吸収性部内に、体液を吸収保持する機能および体液との接触により収縮する機能を有する吸収材を備えた、請求項１記載の体液吸収性物品。
【００１８】
（作用効果）
吸収材が体液との接触により収縮すると、吸収材において先に体液を吸収した部位が当該吸収位置から逃げ、これに代わって吸収材の新たな部位が位置するようになる、つまり吸収材は体液の排出に伴って移動し、先に体液を吸収した部位が新たな部位により更新される。したがって、吸収材全体を有効的に利用でき、全体としてみれば、吸収容量が大きく、長時間の着用にも耐え得るものとなる。
【００１９】
この際、本請求項２記載の発明では、表面層と防漏層との間の体液吸収性部に、壁部材と、体液との接触により収縮する吸収材とが設けられており、壁部材が支えとなって吸収材の収縮移動スペースが確保される。よって、吸収材の収縮移動機能がより確実に発揮されるようになる。
【００２０】
＜請求項３記載の発明＞
前記壁部材を間隔をあけて複数列有し、これら壁部材間に前記吸収材を有する、請求項２記載の体液吸収性物品。
【００２１】
（作用効果）
このように壁部材が間隔をあけて複数列設けられ、かつこれらの壁部材間に吸収材を有すると、袋体内の高吸収性ポリマーの膨張により厚さが増加した壁部材によって、表面層および防漏層間が離間される。よって、使用に際し、物品に厚さ方向の外圧（被着体により吸収材側に及ぼされる体圧等）が加わっても、壁部材が外圧に抗して表面層および防漏層間に吸収材の収縮スペースを確保するため、吸収材はより小さい収縮抵抗で収縮移動し、確実に前述の更新機能が発揮される。また、この壁部材により確保されるスペースは、体液の流通チャンネルにもなり、壁部材の横断方向に沿う体液拡散が防止され、かつその結果壁部材に沿う方向の体液拡散が促進される。よって、壁部材の配列方向を適宜設計することにより、体液拡散の方向を調節でき、任意部位からの漏れ防止や任意方向への拡散促進を図ることもできる。
【００２２】
これに対して、壁部材の袋体が、内部の高吸収性ポリマーの膨張圧および外圧の双方に耐えられずに破裂してしまうと、吸収材の収縮スペースが無くなるだけでは済まず、袋体および内容物が吸収材の収縮移動抵抗となり、反対に壁部材を設けない場合よりも収縮移動抵抗が増加してしまうおそれがある。
【００２３】
しかるに、本発明に従って標準状態におけるＪＩＳ  Ｌ  １０９６Ａに規定されるミューレン形法による破裂強さが２００ｇ／ｃｍ２以上である袋体を用いると、大人用紙おむつのように著しく外圧が高くなる物品であっても十分に耐えることができる。よって、吸収材の円滑な収縮移動が確実に確保されるようになる。
【００２４】
＜請求項４記載の発明＞
前記壁部材は、前記袋体が平坦に押し潰された状態における単位面積（１ｍ２）当たり、３００ｇ以上の高吸収性ポリマーが封入されたものである、請求項１〜３のいずれか１項に記載の体液吸収性物品。
【００２５】
（作用効果）
このように、壁部材の袋体内に高吸収性ポリマーが多量に封入されていると、高吸収性ポリマーが体液を吸収し膨張した際、袋体の内圧が高くなり、外圧に対するスペース確保機能が高くなる反面、袋体の強度が低いと外圧を受けた際に袋体が破裂するおそれも高くなる。よって、本発明はかかる場合に特に好適である。
【００２６】
＜請求項５記載の発明＞
前記壁部材および前記吸収材は物品前後方向に沿って一方側端部から他方側端部まで延在されており、前記吸収材は物品前後方向の一方側端部が物品に対して固定されている、請求項１〜４のいずれか１項に記載の体液吸収性物品。
【００２７】
（作用効果）
この場合、横漏れ防止、物品前後方向の体液拡散促進、固定部側への体液拡散促進による移動効率の向上が図られる。
【００２８】
しかしその反面、吸収材は非常に長くなり、また股間部において曲線的に移動しなければならず、移動抵抗が非常に大きくなる。この場合、移動抵抗を低減するためには、収縮スペースをより強固に確保する必要があり、袋材も十分に高強度であることが望まれる。したがって、本発明はかかる場合にも特に好ましいものである。
【００２９】
【発明の実施の形態】
以下、本発明の実施の形態を添付図面を参照しながらさらに詳説する。
本発明は使い捨ての紙おむつ、生理用ナプキンなどの体液吸収性物品一般に適用されるが、おむつ使用時（装着時）に背側の左右両側部を腹側の左右両側部に持ち込み、これらをテープファスナー（粘着剤テープファスナー及び面ファスナーを含む）により接合するタイプのいわゆるテープ式紙おむつに対する適用例を説明すれば、パンツ型使い捨ておむつやパッド型使い捨て吸収性物品での実施の形態や、生理用ナプキンでの実施の形態も直ちに推測できると思われるので、後二者の例についてはその説明を省略する。
【００３０】
（基本的構成）
図１〜図３は、本発明を適用した使い捨ておむつの例を示している。この使い捨ておむつは、身体の肌に面する側に設けられた液透過性の不織布シート、あるいは孔開きフィルムシートなどからなり、着用者の肌に直接触れる長方形の表面層２、身体の肌から遠ざかる側に設けられたポリエチレンプラスチックフィルムなどからなる長方形の不透液性バックシートなどからなる防漏層３、および両者の間に設けられた、排泄体液が最初に表面層を透過する範囲として定まる体液受入部分Ｚを含む体液吸収性部１を有する。
【００３１】
さらに、防漏層３より裏面側たる製品の裏面側には、可撓性の外形シート４を有し、この外形シート４は１枚の不織布または複数枚の通気・撥水性の不織布を積層固定したものからなる。
【００３２】
製品の両側部には、使用面側に突出する脚周り起立カフスＣ，Ｃがそれぞれ形成され、この起立カフスＣは、実質的に幅方向に連続した起立シート８と、たとえば糸ゴムからなる一本のまたは複数本の伸縮部材９とにより構成されている。さらに詳細には、起立カフスＣは、起立シート８を二重にして形成され、伸縮部材９を包んでホットメルト接着剤などにより固着した状態で形成されたものである。各起立カフスＣ，Ｃを形成する起立シート８は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。起立シート８の間に不透液性フィルムシートを挟み込み、さらに防漏性を高めることができる。
【００３３】
二重の起立シート８の内面は、表面層２及び外形シート４にホットメルト接着剤などにより固着されている。その結果、二重の起立シート８のこの固着始端は、起立カフスＣの起立端を形成している。この起立端より先端側は、製品本体に固定されていない自由部分である。
【００３４】
二重の起立シート８の長手方向前後端部は、ホットメルト接着剤などにより、自由部分がその先端を物品の中央側に向かう状態で物品に、具体的には表面層２外面に固定されている。左右の起立カフスＣ，Ｃで囲まれる空間は、尿または軟便の閉じ込め空間を形成する。この空間内に排尿されると、その尿は透液性表面層２を通って体液吸収性部１内に吸収されるとともに、軟便の固形分については、起立カフスＣがバリヤーとなり、その乗り越えが防止される。
【００３５】
他方、前身頃及び後身頃の長手方向端部において、ウエスト部における外形シート４の不織布間に、ウエスト周りのフィット性を高めるために、ウエスト開口部の端縁に平行に間隔を置いて細い糸ゴムからなるウエスト伸縮部材１０，１０…を配置し、これらが伸縮するように伸長下にホットメルト接着剤などにより固定されている。ウエスト伸縮部材１０，１０…の間隔および本数は適宜定めることができるが、例えば間隔としては４〜８ｍｍ程度、本数としては３〜１０本程度が好ましい。符号１１は背側の左右両側部を腹側の左右両側部に持ち込み、接合するためのテープファスナーを示している。
【００３６】
（壁部材について）
本実施形態では、体液吸収性部１は、表面層２と防漏層３との間にあって、表面層２を透過した体液を吸収する部分であり、この体液吸収性部１内に、高吸収性ポリマーが封入された透液性袋体からなる壁部材２９，２９を、間隔をあけて複数列有し、これら壁部材２９，２９間に、体液を吸収保持する機能および体液との接触により収縮する機能を有する吸収材２５を有する。
【００３７】
図示形態では、壁部材２９は物品前後方向に沿って四列配列されており、中央の壁部材２９，２９間が体液受入部分Ｚと対応し、両脇の壁部材２９，２９間は体液受入部分Ｚとは対応していない。壁部材２９の配列は、吸収材２５の収縮方向に応じて適宜定めれば良く、図示形態の他にも、物品幅方向に沿って複数列平行に配列しても良いし、体液受入部分Ｚを中心とする放射方向に沿って配列しても良い。
【００３８】
壁部材２９は、例えば図４及び図５に示すように、主に透液性袋体２９Ｂと、その内部に封入された高吸収性ポリマーを有する高吸収性ポリマーシート２９ｓとから構成されており、それらの間に吸収材２５を配置することを考慮すると、図示のように細長で厚さの薄い形状を有しているのが好ましい。
【００３９】
袋体２９Ｂの素材は、透液性を有し且つ袋体として上記破裂強さを満足しうるものであれば良い。特に、熱可塑性合成繊維を含む坪量１５〜２０ｇ／ｍ２程度の液透過性親水性不織布（公知の、スパンボンド不織布、カードウエブを接着した不織布、メルトブローン不織布、それらの混成不織布等）や、合成パルプ（三井石油化学社製のＳＷＰなど）を含む坪量１５〜２０ｇ／ｍ２程度のティッシュペーパーなどが好ましく使用できる。また透液性を有する観点からは、例えば一部が透液性不織布となっているものや、不透液性素材であるもの体液透過のための透過孔が開いているもの等も使用できる。
【００４０】
袋体２９Ｂは、接合部の無い一体物として形成したり、２枚のシートを重ね合わせて周縁部相互を接合したりすることでも形成できるが、図示のように一枚の帯状シートｓｔを幅方向に折り畳み、周縁部相互を重ね合わせて接合するほうが容易に製造できるため好ましい。この接合部２９ｅは、図６に×印で示してあり、体液との接触により解離しないように、ヒートシール、高周波シールまたは超音波シールにより接合される。
【００４１】
また図示例の袋体２９Ｂは、長手方向に多数の隔室ｒ，ｒ…を有するものとされている（もちろん、隔室ｒ，ｒ…を省略することもできる）。この隔室ｒ，ｒ…相互を仕切る区画部分ｄ，ｄ…は、例えば図６（ｂ）に断面を示すように、袋体２９Ｂの長手方向に間隔をあけて袋体２９Ｂの内面相互の幅方向にわたる接合により形成できる。この区画部分ｄの接合部分は＋印により示してある。
【００４２】
この区画部分ｄの接合方法としては、体液との接触により解離する接合手法を採るのが好ましい。このために、体液との接触により接着力が弱まるような接着剤、例えばポリビニルアルコール、ポリアルキレンオキサイドなどを主成分とする水分散型ホットメルト接着剤や、デンプン糊、カルボキシメチルセルロース等の水溶性接着剤用いた接合形態を採ることができる。この場合、接着強度が体液接触時に対して体液非接触時が２倍以上となるように、接着剤の選択、接着面積・パターン（スパイラル状、直線状、曲線状等の各種線状のほか、面状、点状等）の選択等を行うのが望ましい。この場合、区画部分ｄが体液と接触すると、区画部分ｄの接合が解離し、隔室ｒ内の高吸収性ポリマーシート２９ｓは当初の隔室容積を超えて膨張できるため、いわゆるゲルブロッキングが発生しにくくなる。
【００４３】
そして、本発明の袋体２９Ｂ、すなわち標準状態におけるＪＩＳ  Ｌ  １０９６Ａに規定されるミューレン形法による破裂強さが２００ｇ／ｃｍ２以上の袋体２９Ｂは、素材選択、ならびに周縁接合部２９ｅを有する場合にはその接合方法・接合条件等の選択・調節等により得ることができる。より具体的には、破裂強さが上記値以上となる構成（厚さ、密度等）の透液性素材を選択し、必要に応じて、接合方法がヒートシールや超音波シールの場合にはパターンを網状等の適宜形状に変更することにより、また接合方法がホットメルト接着による場合には接着剤の種類の選択や接着面積の調節により上記条件を満足するような袋体を得ることができる。なお、より好ましい形態では、上記破裂強さは２５０ｇ／ｃｍ２以上とされる。
【００４４】
高吸収性ポリマーはパウダー状、繊維状のもの等を袋体内に封入しても良いが、図示形態では、高吸収性ポリマー粒子ｐを不織布等のシート状担体ｆに固定してなる高吸収性ポリマーシート２９ｓとして袋体内に封入している。この高吸収性ポリマーシート２９ｓとしては、図７（ａ）に示すようにポリマーｐを担体ｆ外面に保持させることもできるし、図７（ｂ）に示すように嵩高な繊維集合体シートからなる担体ｆを用い、その内部の繊維間に保持させることもできる。後者の場合さらに担体ｆ外面にもポリマーｐを保持させることもできる。また前者の場合においては、少なくとも表面層２側の外面にはポリマーｐを配置するほうが好ましい。さらに、図示しないが、担体の繊維外面が高吸収性ポリマー層でコートされたシート状吸収性部材を用いることもできる。かかるシート状吸収性部材は、モノマー液を繊維集合体シートに含浸させた後、紫外線照射等により繊維表面のモノマー液を重合させることにより製造できる。
【００４５】
ポリマーｐを担体ｆ外面に保持させる場合には、ホットメルト接着剤等を用いて接着するほか、ポリマーｐに水分を与えることにより粘着力を付与し、粘着させることもできる。また、担体ｆ内の繊維間にポリマーｐを保持させる場合には、接着や粘着を用いることもできるが、単に機械的に絡ませるだけでも良い。さらに場合によっては、これらの保持手段を採らずに単に付着させるだけでも良い。いずれにせよ、少なくとも吸収材製造完了までの間、好ましくは製品が使用されて体液が膨潤するまでの間、高吸収性ポリマーｐが担体ｆに保持されているのが望ましい。
【００４６】
袋体２９Ｂ内に対する高吸収性ポリマーｐの封入量は、封入された高吸収性ポリマーｐの膨潤後の堆積が袋体２９Ｂの容積以上、特に前者が後者の１．１倍以上となるように定めるのが望ましい。具体的には、袋体２９Ｂを平坦に押し潰した状態における単位面積（１ｍ２）当たり、３００ｇ以上の高吸収性ポリマーｐを封入するのが好ましい。
【００４７】
他方、図示形態の壁部材２９では、体液拡散部材２９ｄが高吸収性ポリマーシート２９ｓと接触するように袋体内に設けられている。体液拡散部材２９ｄは、高吸収性ポリマーシート２９ｓにおける体液の拡散を促し、局所的な吸収を防ぐものであり、体液受入部Ｚと対応する物品前後方向位置およびその近傍、特に本実施形態のように壁部材２９が細長状をなす場合にはその長手方向に沿って且つその略全長にわたるように設けるのが望ましい。
【００４８】
体液拡散部材２９ｄの素材としては、それがない場合と比べてその体液拡散性によりスポット吸収が緩和されるものであれば特に限定されないが、例えば、表面親水化した合成繊維（レーヨン繊維等）からなるか、または表面親水化した合成繊維（レーヨン繊維等）およびセルロース系繊維（パルプ繊維等）の両繊維からなり、坪量が３０〜１００ｇ／ｍ２、特に３０〜５０ｇ／ｍ２であり、かつＪＩＳ  Ｐ  ８１４１に規定される生理食塩水による１０分後のクレム吸水度が１００ｍｍ以上、特に１５０ｍｍ以上であり、保水能が６．０ｇ／ｇ以上、特に７．０ｇ／ｇ以上である繊維集合体シートを用いることができる。特に、レーヨン繊維のウェブをウォータージェットにより絡合した繊維集合体や、レーヨン繊維のウェブにパルプ繊維を積層し、これらをウォータージェットにより絡合した繊維集合体が好適である。
【００４９】
ここで「保水能」とは、下記▲１▼〜▲５▼の手順で測定するものである。
▲１▼縦１１０ｍｍ×横１００ｍｍのサイズに切り取ったサンプルを用意する。
▲２▼サンプルの未保水重量（ｇ）を測定する。
▲３▼サンプルを生理食塩水の入ったバットに１分間浸漬する。
▲４▼次いでサンプルを生理食塩水中から取り出し、縦方向が鉛直方向に沿う姿勢で５分間吊るす。
▲５▼サンプルの保水後重量（ｇ）を測定する。
▲６▼保水後重量（ｇ）と未保水重量（ｇ）との差を未保水重量で除した値を保水能（ｇ／ｇ）とする。
【００５０】
（吸収材の具体例）
他方、吸収材２５としては、体液の吸収保持機能および体液との接触による収縮機能を有するものであれば特に限定されず、例えば従来の技術の項で述べた特許文献３，４記載のもの及び特願２００１−１４８１３１号等の先願記載のものを用いることができる。
【００５１】
一例を挙げると、図８〜図１０に示すように、細長状袋体２８と、その長手方向の略全体にわたり取り付けられた、体液との接触により収縮する細長状の収縮性材２７と、袋体２８内の長手方向の略全体にわたるように配置された、細長状体液吸収性部材２６とを主要構成として備え、全体として細長状をなすものを用いることができる。本実施形態では、かかる吸収材２５が、物品前後方向に沿うように各壁部材２９，２９間に配置され、その物品前後方向の一方側端部が物品に対して固定されている。吸収材２５の固定部３０は端部に設けるのが好ましいが、吸収材２５の収縮移動先となる任意の位置、例えば中央部に設けることもできる。
【００５２】
吸収材２５における袋体２８は、破裂強さ及び収縮性材２７が関係する部分を除けば、基本的に前述の壁部材におけるものと同様の素材・形状を採ることができる。壁部材に対する相違を中心に説明すると、先ず、吸収材２５における袋体２８は収縮性材２７と一体化される。袋体２８は、収縮性材２７の収縮時に収縮性材２７との接合部位に１０〜２０Ｎ程度の力がかかるので、それに耐えることができる程度の湿潤強度を有するのが望ましい。
【００５３】
また図示形態の袋体２８は、長手方向に多数の隔室ｒ，ｒ…を有する点では前述の壁部材と共通するが、この区画部分ｄの接合（図中には＋印により示してある）により、体液吸収性部材２６及び収縮性材２７が袋体内面間に挟まれ袋体２８に対して固定されている。区画部分ｄの接合方法は前述の壁部材と同様の接合手法を採ることができる。このうち、体液との接触により区画部分の接合が解離する形態を採る場合、区画部分ｄの接合の解離により、当該区画部分ｄの接合により固定されていた収縮性材の固定も解かれる。よって、隔室ｒ内の高吸収性ポリマー２６Ａが自由に膨張できるだけでなく、収縮性材２７が固定の解かれた部分において袋体２８による拘束を受けずに自由に収縮できる。またこの際、収縮性材２７の体液非接触部位は固定が解かれないので、収縮性材２７の収縮に伴う吸収材２５の収縮が確実になされる。
【００５４】
ただし、かかる解離構成を採用する場合には、収縮性材２７と袋体２８とを、少なくとも長手方向の収縮範囲の両端部（本実施形態の場合、吸収材２５の固定部位３０の体液受入部分Ｚ側における長手方向両端部である）において収縮性材２７の収縮力よりも強い力をもって相互に固定する。例えば、収縮性材２７の両端部を、袋体２８の長手方向両端部２６ｅ，２６ｅのシート間に挟み、これらシート相互を収縮性材２７を含めて、ヒートシールや超音波シール等によって体液との接触により解離しないように接合することができる。
【００５５】
また、収縮性材２７は、上記の区画部分ｄ，ｄ…による間欠的な固定だけでなく、必要に応じて他の部位または長手方向全体を袋体２８内面に対してホットメルト接着等により固定することもできる。この固定は、体液との接触により解離するほうが好ましいが、解離しないようにすることもできる。この固定部は図１０中に＃印で示してある。
【００５６】
体液吸収性部材２６は、パウダー状や繊維状の高吸収性ポリマーのみとすることもできるが、前述の壁部材２９の項で説明した高吸収性ポリマーシートを好適に使用できる。なお、吸収材２５においては、吸収材２５における担体を符号２６Ｂにより、また高吸収性ポリマーを符号２６Ａにより示している。
【００５７】
高吸収性ポリマー２６Ａの担体２６Ｂへの配設量は、当該吸収性物品の吸収量の設定により決定される。本実施形態では、吸収材の収縮移動によりゲルブロッキングが発生し難いため、袋体２８内部に高吸収性ポリマー２６Ａを多量に、具体的には袋体２８を平坦に押し潰した状態における単位面積（１ｍ２）当たり３００ｇ以上保持させることができる。
【００５８】
かくして形成された体液吸収性部材２６は、図示のように袋体２８内に非固定状態で配置したり、袋体２８内面または収縮性材２７に対して固定したりすることもできる。図示のように袋体２８内に収縮性材２７を配置する場合には、これに接触させて体液吸収性部材２６を配置するのが好ましく、特に図示のように袋体２８内の内面下部に収縮性材２７を配置するとともに、その上に体液吸収性部材２６を配置して、収縮性材２７を袋体２８内面と体液吸収性部材２６との間に挟むようにするのが望ましい。
【００５９】
また体液吸収性部材２６は、図示のように吸収材２５の長手方向に連続する形態のほか、長さの短いものを連ねてまたは断続的に配置する形態を採ることもできる。特に上記例のように袋体が長手方向に複数の隔室ｒ，ｒ…を有する場合には、隔室に体液吸収性部材２６をそれぞれ相互独立した状態で配置することもできる。さらに、体液吸収性部材２６は、図示のように一つの袋体あたり一本設ける形態に限られず、複数本設けることもできる。
【００６０】
また、吸収材２５の収縮力を発生させる収縮性材２７としては、ポリビニルアルコール系長繊維を複数本引き揃えてなる収縮糸や、セルロース系短繊維を紡績し、これをカルボキシメチル化した後に強撚してなる収縮糸を好適に使用できる。具体的には、特公平６−１０２０６８号公報、特許第２６５６２４５号公報に開示されているものや、市販のものとしては、株式会社ニチビの商品名「ソルブロン」を用いることができ、太さは５００〜１６００ｄｔｅｘのものが好適である。収縮性材２７としては、横断面円形や四角形の糸状のものや、又はシート状、フィルム状若しくは網状のものなど、あらゆる形状のものを用いることができる。収縮性材２７としては、フィラメント状や紡績糸であることもできる。吸収材２５の効率良い移動を達成するためには、収縮性材は１本あたり１０Ｎ以上の体液吸収時収縮力を有しているのが好ましい。
【００６１】
他方、図示形態の吸収材２５では、体液拡散部材ｄｓが体液吸収性部材２６と接触するように設けられている。体液拡散部材ｄｓは、体液吸収性部材２６における体液の拡散を促すものであり、体液受入部Ｚと対応する位置およびその近傍（特に物品前後方向の吸収材固定部３０側の所定部位まで）、特に本実施形態のように体液吸収性部材２６が細長状をなす場合にはその長手方向に沿って且つその略全長にわたるように設けるのが望ましい。体液拡散部材ｄｓの素材は、前述の壁部材２９と共通のものを好適に用いることができる。
【００６２】
またこの体液拡散部材ｄｓは、例えば本実施形態の吸収材２５のように袋体２８内の裏面層３側面に収縮性材２７を配置し、その表面層２側に体液吸収性部材２６を配置する場合には、図示のように体液吸収性部材２６と収縮性材２７との間に設けるのが望ましい。この場合、収縮性材２７に対する体液供給をも促進できる。ただし、体液拡散部材ｄｓは、体液吸収性部材２６と接触する位置に設ける限り、任意の位置に設けることができ、体液拡散部材ｄｓは体液吸収性部材２６と直接接触するのが好ましいことは当然であるが、袋体２８のような体液透過性の材料を介して間接的に接触させることもできる。
【００６３】
（機能について）
以上のように構成された物品において、図１１及び図１２に示すように、体液受入部分Ｚを介して尿等の体液が受け入れられ、その体液が収縮性材２７に接触すると、収縮性材２７の体液接触部分が収縮し、これに一体化された体液吸収性材２６も収縮する。その結果、図１３に示すように、吸収材２５において先に体液を吸収した部位が当該吸収位置から固定部３０側に移動し、これに代わって吸収材２５の新たな部位が位置するようになる、つまり吸収材２５は体液の排出に伴なって移動し、先に体液を吸収した部位が新たな部位により更新される。
【００６４】
したがって、吸収材２５全体を有効的に利用でき、全体としてみれば、吸収容量が大きく、さらに長時間の着用にも耐え得る体液吸収性物品を得ることができる。また、上記吸収材２５の更新により、同位置の高吸収性ポリマー２６Ａによる複数回の体液吸収を抑制できるため、ゲルブロッキング現象が起こりにくく、高吸収性ポリマー２６Ａの吸収機能が十全に発揮される。
【００６５】
また、かかる吸収材２５が壁部材２９，２９間に配置されていると、これら壁部材２９，２９により外圧が支えられ、表面層２および防漏層３間に吸収材２５の収縮スペース及び体液の流通チャンネルが確保され、例えば物品を着用した状態で椅子に座る等しても、吸収材２５の収縮スペースが確実に確保され、吸収材２５の確実且つ効率良い更新、ならびに体液の効率的な吸収が可能となる。
【００６６】
そして、本発明に係る壁部材２９の袋体２９Ｂは、標準状態におけるＪＩＳ  Ｌ  １０９６Ａに規定されるミューレン形法による破裂強さが２００ｇ／ｃｍ２以上であるため、大人用紙おむつのように著しく外圧が高くなるようなものであっても、十分に耐えることができる。よって、吸収材２５の円滑な収縮移動がより確実なものとなる。
【００６７】
また、本実施形態のように、吸収材２５が非常に長く、かつ股間部において曲線的に移動しなければならず、移動抵抗が非常に大きくなるような場合には、収縮スペースをより強固に確保する必要があるが、上記破裂強さを有していれば袋体２９Ｂ内に多量のポリマーｐを充填し、内圧を高くしても十分に耐えることができる。
【００６８】
また、壁部材２９は、封入された高吸収性ポリマーｐにより体液吸収機能を有するため、壁部材２９によって付随的な体液吸収がなされ、製品幅方向への濡れ拡がりが抑えられ、製品長手方向への濡れ拡がりが助長される結果、横漏れ防止およびより一層の吸収体の有効利用が図られる。
【００６９】
さらに図１４と図１５との対比からも判るように、壁部材２９の袋体２９Ｂに、体液との接触により解除される区画ｄを設けた場合、袋体２９Ｂ内の高吸収性ポリマーｐが体液を吸収して膨張したとき、同時に体液との接触により区画ｄが解除され、隔室ｒの形状が自然に安定な形状に変化できるため、壁部材２９が横倒しになったり局所的に膨出したりして吸収材２５の収縮スペースが無くなるといった事態が発生しにくく、壁部材２９本来の機能が体液吸収によって阻害されることなく、常に確実に発揮されるようになる。
【００７０】
（その他）
現在市販の紙おむつでは、綿状パルプ（フラッフパルプ）を主体とし、ある程度の剛性を有する（半剛性の）長方形の吸収コアをクレープ紙で包むなどして形成した非収縮吸収材が、体液吸収性部内に備え付けられている。前述の収縮吸収材２５は、この非収縮吸収材とともに設けることができ、この場合収縮する吸収材２５は、非収縮吸収材の内外の適宜の位置、具体的には、表面シートとクレープ紙との間、クレープ紙と吸収コアとの間、吸収コアの内部、クレープ紙と防漏層との間などの部位に配置することができる（図示せず）。
【００７１】
この他にも、本発明の範囲内において、公知の事項、あるいは従来の技術の項で述べた本出願人による先願記載の事項等を適宜採用することができる。
【００７２】
【発明の効果】
以上のとおり本発明によれば、壁部材の強度が十分なものとなる。また、吸収材が収縮移動機能を有する場合、その収縮移動機能がより確実に発揮されるようになる。
【図面の簡単な説明】
【図１】使い捨て紙おむつの展開状態平面図である。
【図２】図１のＩＩ−ＩＩ断面図である。
【図３】図１のＩＩＩ−ＩＩＩ断面図である。
【図４】壁部材の正面図である。
【図５】壁部材の要部破断斜視図である。
【図６】壁部材の縦断面図である。
【図７】高吸収性ポリマーシート例を示す縦断面図である。
【図８】吸収材例の正面図である。
【図９】吸収材例の要部破断斜視図である。
【図１０】吸収材例の要部縦断面である。
【図１１】要部を概略的に示す平面図である。
【図１２】要部を概略的に示す縦断面図である。
【図１３】移動機能を概略的に示す平面図である。
【図１４】壁部材の機能を概略的に示す要部拡大図である。
【図１５】壁部材の機能を概略的に示す要部拡大図である。
【符号の説明】
１…体液吸収性部、２…表面シート（表面層）、３…防漏層、４…外形シート、２５…吸収材、２６…体液吸収性材、２６Ａ…高吸収性ポリマー、２７…収縮性材、２８…接着剤、２９…壁部材、３０…固定部。
【図１】
2004298386.tif 000003
【図２】
2004298386.tif 000004
【図３】
2004298386.tif 000005
【図４】
2004298386.tif 000006
【図５】
2004298386.tif 000007
【図６】
2004298386.tif 000008
【図７】
2004298386.tif 000009
【図８】
2004298386.tif 000010
【図９】
2004298386.tif 000011
【図１０】
2004298386.tif 000012
【図１１】
2004298386.tif 000013
【図１２】
2004298386.tif 000014
【図１３】
2004298386.tif 000015
【図１４】
2004298386.tif 000016
【図１５】
2004298386.tif 000017